(57)【要約】【課題】発光装置の設置の際ならびに取り外しの際に、発光装置の周囲に必要とされる余分なスペースの大きさを抑制する。【解決手段】発光装置１００ａは、発光素子１０と、発光素子１０が一方の面に固定された固定板２０を備える。固定板２０には、発光素子１０に少なくとも電力を供給するための端子部を含む接続部３０が形成されている。この接続部３０と、発光装置１００ａに対して同一面上において隣り合う発光装置１００ｂの接続部３０と、に対して、固定板２０の面直方向にコネクタ４０が差し込まれることにより、コネクタ４０を介して、発光装置１００ａの接続部３０と発光装置１００ｂの接続部３０とが相互に機械的および電気的に接続される。【選択図】図７
2014127228.tif 000002
【特許請求の範囲】
【請求項１】
発光装置であって、発光素子と、前記発光素子が一方の面に固定された固定板と、を備え、
前記固定板には、前記発光素子に少なくとも電力を供給するための端子部を含む接続部が形成され、
前記接続部と、当該発光装置に対して同一面上において隣り合う発光装置である隣接発光装置の接続部と、に対して、前記固定板の面直方向にコネクタが差し込まれることにより、前記コネクタを介して、前記接続部と前記隣接発光装置の接続部とが相互に機械的に接続されるとともに、前記接続部の前記端子部と前記隣接発光装置の接続部の端子部とが相互に電気的に接続される発光装置。
【請求項２】
前記固定板に複数の前記接続部が形成され、且つ、前記複数の接続部の形状が互いに等しい請求項１に記載の発光装置。
【請求項３】
前記端子部は、前記発光素子に電力を供給する電源に対して電気的に接続可能である請求項１又は２に記載の発光装置。
【請求項４】
前記接続部は、前記固定板の前記発光素子が固定された面とは反対側の面に形成されている請求項１〜３の何れか一項に記載の発光装置。
【請求項５】
前記固定板の面積は、前記発光素子の面積よりも大きく、
前記接続部は、前記固定板の前記発光素子が固定された面において、前記発光素子の周囲の部分に形成されている請求項１〜３の何れか一項に記載の発光装置。
【請求項６】
前記接続部は、前記コネクタが有するピン状端子が差し込まれる差込孔を有し、
前記差込孔の軸心は前記固定板の面直方向に延在し、
前記差込孔に前記端子部が形成されている請求項１〜５の何れか一項に記載の発光装置。
【請求項７】
互いの形状が等しい複数のコネクタを備え、
前記複数のコネクタの各々は、同一面上において互いに隣り合う発光装置のうち、一方の発光装置に形成された接続部と、他方の発光装置に形成された接続部と、に対して、前記発光装置の面直方向に差し込まれることにより、前記接続部どうしを機械的に接続するとともに、前記接続部が有する端子部どうしを相互に電気的に接続するものであり、
前記複数のコネクタの各々は、前記一方の発光装置に形成された接続部に接続される第１接続部と、前記他方の発光装置に形成された接続部に接続される第２接続部と、を備え、
前記第１接続部と前記第２接続部とは、それぞれ複数の電極端子を備え、
前記第１接続部の前記複数の電極端子のうち１つ以上の前記電極端子と、前記第２接続部の前記複数の電極端子のうち１つ以上の前記電極端子とは、互いに１対１の関係で相互に電気的に接続され、
前記複数のコネクタには、前記第１接続部の１つ以上の前記電極端子と、前記第２接続部の１つ以上の前記電極端子と、の電気的接続の組み合わせが互いに異なる２種類以上のコネクタが含まれているコネクタセット。
【請求項８】
前記コネクタの前記第１接続部および前記第２接続部の各々は、前記発光装置に対する前記コネクタの差込方向に向けて突出し、前記発光装置の接続部に差し込まれるピン状端子を有する請求項７に記載のコネクタセット。
【発明の詳細な説明】
【技術分野】
【０００１】
本発明は、発光装置、および複数の発光装置を相互に接続するためのコネクタセットに関する。
【背景技術】
【０００２】
パネル状の発光装置どうしコネクタを介して相互に接続する技術としては、例えば、特許文献１〜４に記載のものがある。
【０００３】
特許文献１には、発光装置の側面に端子を設け、互いに隣接する発光装置の端子どうしを接触させることが記載されている。同文献の技術では、隣り合う発光装置の端子どうしは、少なくとも一方の端子が発光装置の面方向において弾性変形しながら接触するように構成されている。なお、同文献には、隣り合う発光装置の間に接続部材を介在させることも記載されている。この接続部材は、発光装置の表側の面どうし並びに裏側の面どうしの面合わせを行うためのものと思われる。
【０００４】
特許文献２には、互いに隣り合う発光装置の側面どうしをフレキシブルチューブ及びコネクタにより接続することが記載されている。コネクタは、フレキシブルチューブの両端に設けられ、互いに隣り合う発光装置の各々の側面に取り付けられる。
【０００５】
特許文献３には、多角形の発光装置の各辺に雄型コネクタ又は雌型コネクタを設け、雄型コネクタは隣接する発光装置の雌型コネクタと接続させ、雌型コネクタは隣接する発光装置の雄型コネクタと接続させることが記載されている。雄型コネクタは、発光装置の板面と平行に、隣接する発光装置側に突出した接続ピン端子を有する。雌型コネクタは、接続ピン端子が差し込まれる接続ピン受端子を有する。
特許文献４にも、特許文献３と同様の技術が記載されている。
【先行技術文献】
【特許文献】
【０００６】
【特許文献１】特開２００７−３２９３１３号公報
【特許文献２】特開２０１０−１９９００４号公報
【特許文献３】特開２００９−０３７８７６号公報
【特許文献４】特開２００９−１４６６４６号公報
【発明の概要】
【発明が解決しようとする課題】
【０００７】
特許文献１、３、４の技術では、隣り合う発光装置の端子どうしは、互いに弾性的に圧接した状態となっているか、又は、発光装置の板面と平行にピンを差し込むことにより接続されている。このため、これらの技術では、発光装置の設置の際ならびに取り外しの際に、発光装置をその板面方向に移動させることを許容するための余分なスペースが必要である。
また、特許文献２の技術では、発光装置の側面にコネクタを取り付ける必要がある。このため、発光装置の設置の際ならびに取り外しの際に、コネクタを抜き差しするための余分なスペースが、発光装置どうしの間に必要である。
【０００８】
本発明が解決しようとする課題としては、発光装置の設置の際ならびに取り外しの際に、発光装置の周囲に必要とされる余分なスペースの大きさを抑制することが一例として挙げられる。
【課題を解決するための手段】
【０００９】
請求項１に記載の発明は、発光装置であって、発光素子と、前記発光素子が一方の面に固定された固定板と、を備え、
前記固定板には、前記発光素子に少なくとも電力を供給するための端子部を含む接続部が形成され、
前記接続部と、当該発光装置に対して同一面上において隣り合う発光装置である隣接発光装置の接続部と、に対して、前記固定板の面直方向にコネクタが差し込まれることにより、前記コネクタを介して、前記接続部と前記隣接発光装置の接続部とが相互に機械的に接続されるとともに、前記接続部の前記端子部と前記隣接発光装置の接続部の端子部とが相互に電気的に接続される発光装置である。
【００１０】
請求項７に記載の発明は、互いの形状が等しい複数のコネクタを備え、
前記複数のコネクタの各々は、同一面上において互いに隣り合う発光装置のうち、一方の発光装置に形成された接続部と、他方の発光装置に形成された接続部と、に対して、前記発光装置の面直方向に差し込まれることにより、前記接続部どうしを機械的に接続するとともに、前記接続部が有する端子部どうしを相互に電気的に接続するものであり、
前記複数のコネクタの各々は、前記一方の発光装置に形成された接続部に接続される第１接続部と、前記他方の発光装置に形成された接続部に接続される第２接続部と、を備え、
前記第１接続部と前記第２接続部とは、それぞれ複数の電極端子を備え、
前記第１接続部の前記複数の電極端子のうち１つ以上の前記電極端子と、前記第２接続部の前記複数の電極端子のうち１つ以上の前記電極端子とは、互いに１対１の関係で相互に電気的に接続され、
前記複数のコネクタには、前記第１接続部の１つ以上の前記電極端子と、前記第２接続部の１つ以上の前記電極端子と、の電気的接続の組み合わせが互いに異なる２種類以上のコネクタが含まれているコネクタセットである。
【図面の簡単な説明】
【００１１】
【図１】実施形態に係る発光装置を複数接続した状態を示す平面図である。
【図２】図２（ａ）は実施形態に係る発光装置の一方の面を示す平面図、図２（ｂ）は実施形態に係る発光装置の他方の面を示す平面図である。
【図３】実施形態に係る発光装置の接続部周辺を示す斜視図である。
【図４】実施形態に係る発光装置の回路構成を示す図である。
【図５】実施形態に係る発光装置の接続に用いられるコネクタの斜視図である。
【図６】図６（ａ）〜（ｅ）の各図は、各種のコネクタを示す模式図である。
【図７】実施形態に係る発光装置をコネクタにより接続する動作を示す斜視図である。
【図８】実施形態に係る発光装置を並べて配置する動作を示す斜視図である。
【図９】実施形態に係る発光装置をコネクタにより接続する動作を示す斜視図である。
【図１０】発光素子が有機ＥＬ素子である場合の有機ＥＬ素子の構造の一例を示す断面図である。
【図１１】有機機能層の層構造の第１例を示す断面図である。
【図１２】有機機能層の層構造の第２例を示す断面図である。
【図１３】実施例１を示す模式的な平面図である。
【図１４】図１３の等価回路を示す図である。
【図１５】実施例２を示す模式的な平面図である。
【図１６】図１５の等価回路を示す図である。
【図１７】実施例３を示す模式的な平面図である。
【図１８】図１７の等価回路を示す図である。
【図１９】実施例４に係る発光装置の回路構成を示す図である。
【図２０】図２０（ａ）〜（ｇ）の各図は、実施例４に係る発光装置の接続に用いられる各種のコネクタを示す模式図である。
【図２１】実施例５を示す模式的な平面図である。
【図２２】図２２（ａ）〜（ｃ）の各図は、実施例６に係る発光装置を説明するための図である。
【図２３】図２３（ａ）〜（ｅ）の各図は、実施例７に係る発光装置とその接続に用いられるコネクタとを説明するための図である。
【発明を実施するための形態】
【００１２】
以下、実施の形態について、図面を用いて説明する。尚、すべての図面において、同様の構成要素には同一の符号を付し、適宜説明を省略する。
【００１３】
図１は実施形態に係る発光装置１００を複数接続した状態を示す平面図である。図２（ａ）は実施形態に係る発光装置１００の一方の面を示す平面図、図２（ｂ）は実施形態に係る発光装置１００の他方の面を示す平面図である。図３は実施形態に係る発光装置１００の接続部３０の周辺を示す斜視図である。図４は実施形態に係る発光装置１００の回路構成を示す図である。図５は実施形態に係る発光装置１００の接続に用いられるコネクタ４０の斜視図である。図６（ａ）〜（ｅ）の各図は、各種のコネクタ４０（４０ａ〜４０ｅ）を示す模式図である。図７は実施形態に係る発光装置１００をコネクタ４０により接続する動作を示す斜視図である。図８は実施形態に係る発光装置１００を並べて配置する動作を示す斜視図である。図９は実施形態に係る発光装置１００をコネクタ４０により接続する動作を示す斜視図である。この発光装置１００は、例えばディスプレイ、照明装置、又は光通信装置の光源として用いることができる。
【００１４】
本実施形態に係る発光装置１００は、発光素子１０（図２（ａ））と、発光素子１０が一方の面に固定された固定板２０（図２（ａ）、図２（ｂ））と、を備える。固定板２０には、発光素子１０に少なくとも電力を供給するための端子部３１（図４）を含む接続部３０が形成されている。この接続部３０と、当該発光装置１００（例えば図１に示される発光装置１００ａ）に対して同一面上において隣り合う発光装置１００である隣接発光装置（例えば図２に示される発光装置１００ｂ）の接続部３０と、に対して、固定板２０の面直方向にコネクタ４０が差し込まれることにより、コネクタ４０を介して、発光装置１００ａの接続部３０と発光装置１００ｂ（隣接発光装置）の接続部３０とが相互に機械的に接続されるとともに、発光装置１００ａの接続部３０の端子部３１（図４）と発光装置１００ｂ（隣接発光装置）の接続部３０の端子部３１とが相互に電気的に接続される。ここで、発光装置１００ａと発光装置１００ｂとは、互いに隣り合って配置され且つ互いに接していても良いし、互いに間隔を空けて互いに隣り合って配置されていても良い。すなわち、本明細書において、隣接とは、互いに隣り合って配置され且つ互いに接する状態の他、互いに間隔を空けて隣り合って配置されている状態を含む。以下、詳細に説明する。
【００１５】
以下においては、説明を簡単にするため、発光装置１００およびコネクタ４０の各構成要素の位置関係（上下関係等）が各図に示す関係であるものとして説明を行う場合がある。ただし、この説明における位置関係は、発光装置１００およびコネクタ４０の使用時の位置関係とは無関係である。
【００１６】
図１には、複数の発光装置１００と、隣り合う発光装置１００どうしを接続するコネクタ４０と、複数の発光装置１００に対して電力を供給する外部電源５０と、を有する発光システムが示されている。この発光システムは、例えば、タイリング照明などとして好適に用いることができる。この発光システムにおいて、コネクタ４０は、互いに隣り合う発光装置１００の互いに対向する辺に設けられた接続部３０どうしを接続している。コネクタ４０は、互いに隣り合う発光装置１００間にまたがって配置されて、互いに隣り合う発光装置１００の接続部３０どうしを接続している。
【００１７】
図１の例では、４つの発光装置１００を同一面上において互いに隣接させて配置し、且つ、互いに隣接する発光装置１００どうしをコネクタ４０により接続した状態を示している。図１および図２に示すように、発光装置１００は、平板なパネル状に形成されている。
【００１８】
一例として、発光装置１００の平面形状は、矩形状であることが挙げられるが、その他の多角形状（五角形、六角形など）でも良いし、円形、楕円形、長円形などでも良い。
【００１９】
図１には、発光装置１００の平面形状が正方形である例を示している。また、この例では、固定板２０の平面形状も正方形である。そして、互いに隣接する発光装置１００は、発光装置１００の一辺どうしが接するとともに、当該一辺の両端の位置が一致するように配置されている。より具体的には、図１では、４つの発光装置１００をマトリクス状に配置した状態を示している。そして、各発光装置１００は、縦に隣接する発光装置１００と、横に隣接する発光装置１００と、に対して、それぞれコネクタ４０により接続されている。
【００２０】
図２（ａ）に示すように、発光装置１００は、固定板２０と、固定板２０の一方の面に固定された発光素子１０と、を備えている。発光素子１０の平面形状は任意である。図２（ａ）には、発光素子１０の平面形状が正方形である例を示している。
【００２１】
発光素子１０は、単一の発光素子であっても良いし、複数の発光素子により構成されていても良い。
【００２２】
発光素子１０は、例えば、有機ＥＬ（Ｅｌｅｃｔｒｏ  Ｌｕｍｉｎｅｓｃｅｎｃｅ）素子であることが挙げられる。ただし、発光装置１００が有する発光素子は、有機ＥＬ素子に限らない。例えば、発光素子１０は、ＬＥＤ（Ｌｉｇｈｔ  Ｅｍｉｔｔｉｎｇ  Ｄｉｏｄｅ）と導光板とを組み合わせて構成されていても良いし、複数のＬＥＤをアレイ状に配列することにより構成されていても良い。また、発光素子１０は、無機ＥＬ素子であっても良い。
【００２３】
図２（ｂ）に示すように、本実施形態の場合、固定板２０の発光素子１０が固定された面とは反対側の面に、接続部３０が形成されている。
【００２４】
本実施形態の場合、固定板２０には複数の接続部３０が形成され、且つ、複数の接続部３０の形状（形状および寸法）が互いに等しい。ここで、各接続部３０は、例えば、矩形状などの多角形状の固定板２０の各辺と対応して配置されている。図２の例では、正方形上の固定板２０の４つの辺の各々に接続部３０が形成されている。各接続部３０は、例えば、各辺の両端の中間位置に配置することができる。なお、接続部３０は固定板２０の端部に形成されている。このため、後述する凹部３２は、固定板２０の一方の面および側面に開口している。
【００２５】
図３に示すように、接続部３０には、例えば、コネクタ４０の一部分（図５に示す第１部分４１１又は第２部分４１２）が差し込まれる凹部３２と、この凹部３２の底面に形成された差込孔３３と、が形成されている。差込孔３３には、コネクタ４０の第１部分４１１の第１プラグ４２（図５）又は第２部分４１２の第２プラグ４３（図５）が差し込まれる。
【００２６】
差込孔３３内には、発光素子１０に少なくとも電力を供給するための端子部３１（図３等では不図示：図４参照）が形成されている。
【００２７】
図４に示すように、発光装置１００の発光素子１０は、等価的にダイオードとみなすことができる。
【００２８】
各端子部３１は、例えば、複数の電極端子を有している。具体的には、例えば、各端子部３１は、共通の配線等の導体３５を介して発光素子１０のカソードに対して電気的に接続された第１電極端子３１１と、共通の配線等の導体３６を介して発光素子１０のアノードに対して電気的に接続された第２電極端子３１２と、を有する。
【００２９】
図５に示すように、コネクタ４０は、例えば、本体部４１と、本体部４１より互いに同じ方向に向けて突出した第１プラグ４２および第２プラグ４３と、を有している。本体部４１は、互いに一体的に設けられた第１部分４１１と第２部分４１２とからなり、第１部分４１１には第１プラグ４２が、第１部分４１２には第２プラグ４３が、それぞれ設けられている。なお、本体部４１は例えば樹脂などの絶縁性の材料により構成されている。
【００３０】
コネクタ４０の本体部４１の形状は特に限定されない。一例として、図５では、本体部４１は、一方向に長尺な平板な板状に形成されている。そして、本体部４１の長手方向両端が、長手方向両端に向けてそれぞれ半円状に凸な形状となっている。また、図３に示すように、接続部３０の凹部３２は、コネクタ４０の半部である第１部分４１１又は第２部分４１２と対応する形状となっており、凹部３２に対して第１部分４１１又は第２部分４１２が嵌入するようになっている。
【００３１】
コネクタ４０の向きを限定しないで接続部３０に対してコネクタ４０を接続できるように、コネクタ４０の形状は、平面視におけるコネクタ４０の中心を基準として点対称となっていることが好ましい。
【００３２】
また、コネクタ４０において一方の発光装置１００ａの接続部３０に差し込まれる部分の電極端子（後述する電極端子４２１、４２２）と、他方の発光装置１００ａの接続部３０に差し込まれる部分の電極端子（後述する電極端子４３１、電極端子４３２）とは、平面視におけるコネクタ４０の中心を基準として点対称に配置されていることが好ましい。これにより、コネクタ４０の向きにかかわらず、コネクタ４０と発光装置１００との電気的接続の極性を一定に維持することができる。
【００３３】
ここで、平面視において、接続部３０が設けられた固定部２０の辺に対し直交して当該接続部３０を２分割する直線を対称線と称することとする。平面視において、接続部３０の形状（凹部３２の形状）は、この対称線を基準として線対称となっていることが好ましい。
接続部３０の各電極端子（例えば、第１電極端子３１１および第２電極端子３１２）は、コネクタ４０において一方の発光装置１００ａの接続部３０に差し込まれる部分の電極端子（電極端子４２１、４２２）とそれぞれ接触するか、又は、コネクタ４０において他方の発光装置１００ａの接続部３０に差し込まれる部分の電極端子（電極端子４３１、電極端子４３２）とそれぞれ接触する。
例えば、接続部３０の各電極端子（例えば、第１電極端子３１１および第２電極端子３１２）は、平面視において、上記対称線上に配置することができる。この場合もコネクタ４０の向きにかかわらず、コネクタ４０と発光装置１００との電気的接続の極性を一定に維持することができる。本実施形態の場合、第１電極端子３１１および第２電極端子３１は、共に上記対称線上に位置し、且つ、固定部２０に対する面直方向において互いに異なる位置に配置されている。
【００３４】
また、接続部３０にコネクタ４０を取り付けたときに、コネクタ４０の一部が凹部３２から突出しないことが好ましい。後述するように、コネクタ４０と固定部２０とが面一となることがより好ましい。
【００３５】
なお、コネクタ４０は、接続部３０に対して繰り返し着脱可能である。
【００３６】
凹部３２に対して第１部分４１１を嵌入させたときには、当該凹部３２の底面に形成された差込孔３３に第１プラグ４２が差し込まれる。同様に、凹部３２に対して第２部分４１２を嵌入させたときには、当該凹部３２の底面に形成された差込孔３３に第２プラグ４３が差し込まれる。
【００３７】
コネクタ４０は、端子部３１の各電極端子と１対１で対応する電極端子を、２対有している。
具体的には、例えば、コネクタ４０の第１プラグ４２は、例えば、第１コネクタ電極端子（電極端子）４２１と、第２コネクタ電極端子（電極端子）４２２と、これら電極端子４２１、４２２どうしを相互に絶縁する絶縁体４２５と、を有する。
また、第２プラグ４３は、例えば、第１プラグ４２と同様に構成されている。すなわち、第２プラグ４３は、例えば、第３コネクタ電極端子（電極端子）４３１と、第４コネクタ電極端子（電極端子）４３２と、これら電極端子４３１、４３２どうしを相互に絶縁する絶縁体４３５と、を有する。
【００３８】
このように、コネクタ４０の複数の電極端子（第１コネクタ電極端子４２１および第２コネクタ電極端子４２２、並びに、第３コネクタ電極端子４３１および第４コネクタ電極端子４３２）は、相互に一体的に設けられて、一のピン状端子として構成されている。
すなわち、コネクタ４０の第１接続部（例えば、第１部分４１１と第１プラグ４２とからなる）および第２接続部（例えば、第２部分４１２と第２プラグ４３とからなる）の各々は、発光装置１００に対するコネクタ４０の差込方向に向けて突出し、発光装置１００の接続部３０に差し込まれるピン状端子（第１プラグ４２又は第２プラグ４３）を有する。
【００３９】
一方、発光装置１００の接続部３０は、コネクタ４０が有するピン状端子（第１プラグ４２又は第２プラグ４３）が差し込まれる差込孔３３を有し、差込孔３３の軸心は固定板２０の面直方向に延在し、且つ、差込孔３０に端子部３１が形成されている。
【００４０】
第１プラグ４２が差込孔３３に差し込まれたときには、第１コネクタ電極端子４２１が第１電極端子３１１に対して接触し且つ電気的に接続されるとともに、第２コネクタ電極端子４２２が第２電極端子３１２に対して接触し且つ電気的に接続されるように、差込孔３３内における第１電極端子３１１および第２電極端子３１２の配置が設定されている。同様に、第２プラグ４３が差込孔３３に差し込まれたときには、第３コネクタ電極端子４３１が第１電極端子３１１に対して接触し且つ電気的に接続されるとともに、第４コネクタ電極端子４３２が第２電極端子３１２に対して接触し且つ電気的に接続される。
【００４１】
コネクタ４０は、このような構造の第１プラグ４２および第２プラグ４３を有するので、隣り合って配置される発光装置１００の向きにかかわらず、コネクタ４０と発光装置１００との電気的接続の極性を一定に維持することができる。
【００４２】
上記の説明から分かるように、本実施形態の場合、コネクタ４０は、第１部分４１１には第１コネクタ電極端子４２１および第２コネクタ電極端子４２２を備え、第２部分４１２には第３コネクタ電極端子４３１および第４コネクタ電極端子４３２を備えている。第１部分４１１の第１コネクタ電極端子４２１および第２コネクタ電極端子４２２と、第２部分４１２の第３コネクタ電極端子４３１および第４コネクタ電極端子４３２とは、本体部４１内に形成された導体４５（図６参照）を介して任意の組み合わせ（接続されていない場合も含む）で互いに電気的に接続されている。
【００４３】
以下、この組み合わせの例を説明する。本実施形態の場合、コネクタ４０には、図６に示す複数のバリエーションがある。図６（ａ）〜（ｅ）に示す各種のコネクタ４０（第１〜第５コネクタ４０ａ〜４０ｅ）は、互いに形状が等しい。そして、これら第１〜第５コネクタ４０ａ〜４０ｅは、第１部分４１１の第１コネクタ電極端子４２１および第２コネクタ電極端子４２２と、第２部分４１２の第３コネクタ電極端子４３１および第４コネクタ電極端子４３２と、の電気的な接続関係が互いに異なっている。これら第１〜第５コネクタ４０ａ〜４０ｅのうちの何れか１つを選択的に用いることにより、互いに隣り合う発光装置１００どうしを接続することができる。
【００４４】
図６（ａ）に示す第１コネクタ４０ａにおいては、第１コネクタ電極端子４２１と第３コネクタ電極端子４３１とが導体４５を介して相互に電気的に接続されているとともに、第２コネクタ電極端子４２２と第４コネクタ電極端子４３２とが導体４５を介して相互に電気的に接続されている。
【００４５】
図６（ｂ）に示す第２コネクタ４０ｂにおいては、第１コネクタ電極端子４２１と第３コネクタ電極端子４３１とが導体４５を介して相互に電気的に接続されている。ただし、第２コネクタ４０ｂの第２コネクタ電極端子４２２および第４コネクタ電極端子４３２の各々は、第２コネクタ４０ｂの他の何れの電極端子に対しても電気的に接続されていない。
【００４６】
図６（ｃ）に示す第３コネクタ４０ｃにおいては、第２コネクタ電極端子４２２と第４コネクタ電極端子４３２とが導体４５を介して相互に電気的に接続されている。ただし、第３コネクタ４０ｃの第１コネクタ電極端子４２１および第３コネクタ電極端子４３１の各々は、第３コネクタ４０ｃの他の何れの電極端子に対しても電気的に接続されていない。
【００４７】
図６（ｄ）に示す第４コネクタ４０ｄにおいては、第１コネクタ電極端子４２１と第４コネクタ電極端子４３２とが導体４５を介して相互に電気的に接続されている。ただし、第４コネクタ４０ｄの第２コネクタ電極端子４２２および第３コネクタ電極端子４３１の各々は、第４コネクタ４０ｄの他の何れの電極端子に対しても電気的に接続されていない。
【００４８】
ここで、少なくとも第１〜第４コネクタ４０ａ〜４０ｄにより、本実施形態に係るコネクタセットが構成されている。このコネクタセットは、互いの形状が等しい複数のコネクタ４０（第１〜第４コネクタ４０ａ〜４０ｄ）を備えている。複数のコネクタ４０の各々は、同一面上において互いに隣り合う発光装置１００のうち、一方の発光装置１００（１００ａ）に形成された接続部３０と、他方の発光装置１００（１００ｂ）に形成された接続部３０と、に対して、発光装置１００の面直方向に差し込まれることにより、これら接続部３０どうしを機械的に接続するとともに、接続部３０が有する端子部（第１電極端子３１１又は第２電極端子３１２）どうしを相互に電気的に接続するものである。複数のコネクタ４０の各々は、一方の発光装置１００ａに形成された接続部３０に接続される第１接続部（例えば、第１部分４１１および第１プラグ４２からなる）と、他方の発光装置１００ｂに形成された接続部３０に接続される第２接続部（例えば、第２部分４１２および第２プラグ４３からなる）と、を備える。第１接続部と第２接続部とは互いに一体的に形成されている。第１接続部と第２接続部とは、それぞれ複数の電極端子を備える（例えば、第１接続部は、第１コネクタ電極端子４２１および第２コネクタ電極端子４２２を備え、第２接続部は、第３コネクタ電極端子４３１および第４コネクタ電極端子４３２を備える）。第１接続部の複数の電極端子のうち１つ以上の電極端子と、第２接続部の複数の電極端子のうち１つ以上の電極端子とは、互いに１対１の関係で相互に電気的に接続されている。そして、複数のコネクタ４０には、第１接続部の１つ以上の電極端子と、第２接続部の１つ以上の電極端子と、の電気的接続の組み合わせが互いに異なる２種類以上のコネクタ４０が含まれている。
【００４９】
また、図６（ｅ）に示す第５コネクタ４０ｅにおいては、第１プラグ４２と第２プラグ４３とは、電気的に絶縁されている。このため、第５コネクタ４０ｅは、互いに隣り合う発光装置１００どうしを電気的に接続するものではなく、単に機械的に接続するものである。
【００５０】
例えば、図６（ｅ）に示すように、第５コネクタ４０ｅは、第１〜第４コネクタ電極端子４２１、４２２、４３１、４３２を有しているとともに、これら電極端子の各々は、第５コネクタ４０ｅの他の何れの電極端子に対しても電気的に接続されていない。ただし、第５コネクタ４０ｅの第１プラグ４２および第２プラグ４３は、第１〜第４コネクタ電極端子４２１、４２２、４３１、４３２、絶縁体４２５および絶縁体４３５を有していなくても良い。すなわち、第５コネクタ４０ｅの第１プラグ４２および第２プラグ４３は、第１〜第４コネクタ４０ａ〜ｄの第１プラグ４２および第２プラグ４３と同一形状のダミープラグであっても良い。
【００５１】
なお、本実施形態に係るコネクタセットは、第５コネクタ４０ｅを含んでいても良いし、含んでいなくても良い。
【００５２】
以下、コネクタ４０を用いて複数の発光装置１００どうしを電気的および機械的に接続する動作の例を説明する。
【００５３】
先ず、図７および図９に示すように、隣り合う発光装置１００ａ、１００ｂを、互いの接続部３０どうしの位置を合わせて互いに隣接させて配置する。次に、発光装置１００ａの接続部３０と、発光装置１００ｂの接続部３０と、に対して、固定板２０に面直な方向にコネクタ４０を差し込む。これにより、２つの発光装置１００ａ、１００ｂを電気的および機械的に接続することができる。
【００５４】
ここで、互いに接続される複数の発光装置１００を所望の位置に配置した後で、コネクタ４０を用いて発光装置１００どうしを接続する。このため、発光装置１００どうしを接続する際に、発光装置１００を固定板２０の面方向に移動させる必要がないので、発光装置１００の配置領域の周囲には余分なスペースが無くても良い。例えば、図８に示すように、発光装置１００を固定板２０に対して面直な方向に移動させることにより、発光装置１００を所望の配置領域に配置することができる。
【００５５】
なお、コネクタ４０の本体部４１の厚み（第１および第２プラグ４２、４３の差込方向における寸法）は、接続部３０の凹部３２の深さと等しいことが好ましい。これにより、コネクタ４０を発光装置１００に差し込んだ状態で、図９に示すように、コネクタ４０の本体部４１における第１および第２プラグ４２、４３とは反対側の面（図９における上面）と、固定板２０において接続部３０が形成されている面（図９における上面）と、を互いに面一にすることができる。すなわち、コネクタ４０を、一方の発光装置１００ａに形成された接続部３０と、他方の発光装置１００ｂに形成された接続部３０と、に差し込んだ状態で、コネクタ４０における差し込み方向とは反対側の面が、発光装置１００の一方の面と面一になるようになっている。
【００５６】
また、上記のように、コネクタ４０の本体部４１の第１部分４１１および第２部分４１２は、それぞれ凹部３２に嵌入する形状であるため、平面視において、コネクタ４０と、固定板２０における凹部３２の周囲の部分と、の間に実質的に隙間が無い状態にすることができる。
【００５７】
図１０は発光素子１０が有機ＥＬ素子である場合の有機ＥＬ素子の構造の一例を示す断面図である。有機ＥＬ素子は、例えば、透光性基板１１０と、透光性の第１電極１３０と、有機機能層１４０と、第２電極１５０と、を有する。第１電極１３０は、透光性基板１１０の一方の面側（図１０において下面側）に配置されている。有機機能層１４０は、第１電極１３０を基準として透光性基板１１０とは反対側（図１０において下側）に配置されている。第２電極１５０は、有機機能層１４０を基準として第１電極１３０とは反対側（図１０において下側）に配置されている。なお、透光性基板１１０と第１電極１３０とは相互に接していても良いし、それらの間に他の層が存在していても良い。同様に、第１電極１３０と有機機能層１４０とは相互に接していても良いし、それらの間に他の層が存在していても良い。同様に、有機機能層１４０と第２電極１５０とは相互に接していても良いし、それらの間に他の層が存在していても良い。また、第２電極１５０の下面には必要に応じて封止層を形成しても良い。
【００５８】
透光性基板１１０は、ガラスや樹脂などの透光性を有する材料からなる板状部材である。例えば、透光性基板１１０の上面、すなわち透光性基板１１０における有機機能層１４０とは反対側の面は、平坦な光取り出し面（上記の発光面２ａ）となっている。この光取り出し面は、光放出空間を充たす空気（屈折率１）と接している。なお、透光性基板１１０の上面には、光拡散フィルムなどの光取り出しフィルムが貼り付けられており、この光取り出しフィルムの上面が光取り出し面（上記の発光面２ａ）を構成していても良い。
【００５９】
第１電極１３０は、例えばＩＴＯ（Ｉｎｄｉｕｍ  Ｔｉｎ  Ｏｘｉｄｅ）やＩＺＯ（Ｉｎｄｉｕｍ  Ｚｉｎｃ  Ｏｘｉｄｅ）などの金属酸化物導電体からなる透明電極とすることができる。ただし、第１電極１３０は、光が透過する程度に薄い金属薄膜であっても良い。有機機能層１４０は、少なくとも発光層を含んで構成されている。第２電極１５０は、例えば、ＡｌやＡｇなどの金属膜からなる反射電極である。第２電極１５０は、有機機能層１４０から第２電極１５０側に向かう光を、透光性基板１１０側に向けて反射する。
【００６０】
第１電極１３０と第２電極１５０との間に電圧が印加されることにより、有機機能層１４０の発光層が発光する。透光性基板１１０、第１電極１３０及び有機機能層１４０は、いずれも、有機機能層１４０の発光層が発光した光の少なくとも一部を透過する。発光層が発光した光の一部は、透光性基板１１０の光取り出し面から、発光装置１００の外部（つまり上記光放出空間）に放射される（取り出される）。
【００６１】
なお、発光装置１００の発光色、すなわち発光スペクトル（発光する光の波長スペクトル）は特に限定しない。発光装置１００は、発光色を様々な色に変化させることができるような構造のものであっても良いし、常時白などの単色の発光色で発光するものであっても良い。また、発光装置１００は、複数の領域に分割されていて、各領域毎に異なる発光色に設定できるようになっていても良い。
【００６２】
以下、有機機能層１４０の層構造の例を説明する。
【００６３】
図１１は有機機能層１４０の層構造の第１例を示す断面図である。この有機機能層１４０は、正孔注入層１４１、正孔輸送層１４２、発光層１４３、電子輸送層１４４、及び電子注入層１４５をこの順に積層した構造を有している。すなわち有機機能層１４０は、有機エレクトロルミネッセンス発光層である。なお、正孔注入層１４１及び正孔輸送層１４２の代わりに、これら２つの層の機能を有する一つの層を設けてもよい。同様に、電子輸送層１４４及び電子注入層１４５の代わりに、これら２つの層の機能を有する一つの層を設けてもよい。
【００６４】
発光層１４３は、例えば赤色の光を発光する層、青色の光を発光する層、黄色の光を発光する層、又は緑色の光を発光する層である。この場合、平面視において、赤色の光を発光する発光層１４３を有する領域、緑色の光を発光する発光層１４３を有する領域、及び青色の光を発光する発光層１４３を有する領域が繰り返し設けられていても良い。この場合、各領域を同時に発光させると、発光装置は白色等の単一の発光色で発光する。また、赤色、緑色、青色の各領域の光量のバランスを調節する制御を行うことにより、様々な光スペクトルでの発光を行うことができるようになっていても良い。
【００６５】
なお、発光層１４３は、複数の色を発光するための材料を混ぜることにより、白色等の単一の発光色で発光するように構成されていても良い。
【００６６】
図１２は有機機能層１４０の層構造の第２例を示す断面図である。この有機機能層１４０の発光層１４３は、発光層１４３ａ、１４３ｂ、１４３ｃをこの順に積層した構成を有している。発光層１４３ａ、１４３ｂ、１４３ｃは、互いに異なる色の光（例えば赤、緑、及び青）を発光する。そして発光層１４３ａ、１４３ｂ、１４３ｃが同時に発光することにより、発光装置は白色等の単一の発光色で発光する。また、赤色、緑色、青色の各発光層１４３ａ、１４３ｂ、１４３ｃの光量のバランスを調節する制御を行うことにより、様々な光スペクトルでの発光を行うことができる。
【００６７】
以上、本実施形態によれば、発光装置１００は、発光素子１０と、発光素子１０が一方の面に固定された固定板２０とを備え、固定板２０には、発光素子１０に少なくとも電力を供給するための端子部３１を含む接続部３０が形成されている。この接続部３０と、当該発光装置１００（１００ｂ）に対して同一面上において隣り合う発光装置１００である隣接発光装置（１００ｂ）の接続部３０と、に対して、固定板２０の面直方向にコネクタ４０が差し込まれることにより、コネクタ４０を介して、発光装置１００ａの接続部３０と発光装置１００ｂの接続部３０とが相互に機械的に接続されるとともに、発光装置１００ａの接続部３０の端子部３１と発光装置１００ｂの接続部３０の端子部３１とが相互に電気的に接続される。よって、コネクタ４０を介して相互に接続される（あるいは接続された）複数の発光装置１００の設置および取り外しを、発光装置１００の設置領域の片面側から、発光装置１００をその面方向に移動させることなく行うことができる。このため、発光装置１００の設置の際ならびに取り外しの際に、発光装置１００の周囲に必要とされる余分なスペースの大きさを抑制することができる。具体的には、例えば、図９から分かるように、発光装置１００の周囲に余分なスペースが無くても、発光装置１００を互いに隣接させて（互いに接する状態に）配置することができ、且つ、これら発光装置１００をコネクタ４０を介して電気的および機械的に接続することができる。
また、発光装置１００の設置の際ならびに取り外しの際に、発光装置１００をその板面方向に移動させることを許容するための余分なスペースが不要である。このため、例えば、互いに隣接して一列に並ぶ３つの発光装置１００のうち、両側の発光装置１００は取り外さずに、中央の発光装置１００のみを選択的に交換することなどが可能である。なお、特許文献１、３、４の技術では、互いに隣接して一列に並ぶ３つの発光装置のうち、両側の発光装置は取り外さずに、中央の発光装置のみを選択的に交換することが、できないか又は困難である。
【００６８】
また、固定板２０には複数の接続部３０が形成され、且つ、複数の接続部３０の形状が互いに等しい。よって、共通のコネクタ４０を発光装置１００の各接続部３０に対して差し込むことができる。また、複数の接続部３０を有することにより、一の発光装置１００を複数の発光装置１００に対して接続することができる。
【００６９】
また、端子部３１は、発光素子２に電力を供給する外部電源（電源）５０に対して電気的に接続可能である。このため、端子部３１を介して外部電源５０から発光素子２に電力を供給することができる。
【００７０】
また、接続部３０は、固定板２０の発光素子１０が固定された面とは反対側の面に形成されている。よって、発光素子２と接続部３０とが干渉してしまうことを抑制できる。
【００７１】
また、接続部３０は、コネクタ４０が有するピン状端子（第１プラグ４２、第２プラグ４３）が差し込まれる差込孔３３を有し、差込孔３３の軸心は固定板２０の面直方向に延在し、差込孔３３に端子部３１が形成されている。よって、同一面上において隣接する２つの発光装置１００をコネクタ４０で接続することにより、これら発光装置１００がそれらの面方向において互いに離間してしまうことを、十分に規制することができる。すなわちコネクタ４０による発光装置１００どうしの連結強度を十分に得ることができる。また、ピン状端子が差込孔３３に差し込まれることにより、ピン状端子と端子部３１とを相互に電気的に接続することができる。
【００７２】
また、コネクタ４０の第１接続部（例えば、第１部分４１１と第１プラグ４２とからなる）および第２接続部（例えば、第２部分４１２と第２プラグ４３とからなる）の各々は、発光装置１００に対するコネクタ４０の差込方向に向けて突出し、発光装置１００の接続部３０に差し込まれるピン状端子（第１プラグ４２又は第２プラグ４３）を有する。よって、よって、同一面上において隣接する２つの発光装置１００をコネクタ４０で接続することにより、これら発光装置１００がそれらの面方向において互いに離間してしまうことを、十分に規制することができる。すなわちコネクタ４０による発光装置１００どうしの連結強度を十分に得ることができる。
【００７３】
また、複数のコネクタ４０には、第１接続部（第１部分４１１および第１プラグ４２）の１つ以上の電極端子（第１コネクタ電極端子４２１および第２コネクタ電極端子４２２）と、第２接続部（第２部分４１２および第２プラグ４３）の１つ以上の電極端子（第３コネクタ電極端子４３１および第４コネクタ電極端子４３２）と、の電気的接続の組み合わせが互いに異なる２種類以上のコネクタ４０が含まれている。これにより、複数種類のコネクタ４０を適宜使い分けることにより、隣り合う発光装置１００どうしを様々な態様で電気的に接続することができる。なお、具体的な接続の仕方の例については、以下の実施例にて説明する。
【実施例】
【００７４】
（実施例１）
図１３はコネクタ４０による接続の仕方の実施例１を示す模式的な平面図である。図１４は図１３の等価回路を示す図である。ここでは、６つの発光装置１００を２行３列に配置し、これら発光装置１００をコネクタ４０により互いに接続する例を説明する。
【００７５】
本実施例では、互いに隣り合う発光装置１００を上記の第１コネクタ４０ａにより接続している。また、６つの発光装置１００のうちの１つの発光装置１００を、第１コネクタ４０ａを介して外部電源５０に対して接続している。外部電源５０は２つの端子を有し、そのうち一方の端子は、この第１コネクタ４０ａの第３コネクタ電極端子４３１に接続され、他方の端子は、この第１コネクタ４０ａの第４コネクタ電極端子４３２に接続されている。これにより、６つの発光装置１００のすべての発光素子１０を互いに並列に接続することができる。本実施例によっても、上記の実施形態と同様の効果が得られる。なお、本実施例の場合、後述する実施例２の場合と比べて、複数の発光装置１００の駆動に必要な電圧を低減できる。
【００７６】
（実施例２）
図１５はコネクタ４０による接続の仕方の実施例２を示す模式的な平面図である。図１６は図１５の等価回路を示す図である。本実施例でも、６つの発光装置１００を２行３列に配置し、これら発光装置１００をコネクタ４０により互いに接続している。
【００７７】
行方向（図１５の左右方向）において隣り合う発光装置１００どうしは第４コネクタ４０ｄにより接続し、行方向において一端（図１５の右端）に位置する２つの発光装置１００をそれぞれ第２コネクタ４０ｂと第３コネクタ４０ｃとを介して外部電源５０に対して接続している。また、行方向において他端（図１５の左端）に位置し、互いに列方向において隣り合う２つの発光装置１００は、第４コネクタ４０ｄにより接続している。また、互いに列方向において隣り合う発光装置１００のうち、行方向における他端（図１５の左端）に位置するもの以外については、第５コネクタ４０ｅにより相互に機械的に接続している（電気的には接続していない）。これにより、６つの発光装置１００をすべて直列に接続することができる。本実施例によっても、上記の実施形態と同様の効果が得られる。なお、本実施例の場合、実施例１の場合と比べて、複数の発光装置１００の駆動に必要な電流を低減できる。
【００７８】
なお、ここでは、発光装置１００と外部電源５０とをコネクタ４０（具体的には第２コネクタ４０ｂと第３コネクタ４０ｃ）を介して電気的に接続する例を示したが、発光装置１００と外部電源５０とはコネクタ４０を介さずに電気的に接続しても良い。例えば、外部電源５０から導出されたケーブルの先端に上記の第１プラグ４２と同様のプラグを設け、このプラグを発光装置１００の接続部３０の差込孔３３に差し込むことによって、外部電源５０に対して端子部３１を接続することができる。すなわち、端子部３１は、発光素子１０に対して電力を供給する電源（外部電源５０）に対して電気的に接続可能である。
【００７９】
（実施例３）
図１７はコネクタ４０による接続の仕方の実施例３を示す模式的な平面図である。図１８は図１７の等価回路を示す図である。本実施例でも、６つの発光装置１００を２行３列に配置し、これら発光装置１００をコネクタ４０により互いに接続している。
【００８０】
行方向（図１７の左右方向）において隣り合う発光装置１００どうしは第４コネクタ４０ｄにより接続している。
第１の行（図１７の外部電源５０側の行）において一端（図１７の左端）に位置する発光装置１００を第３コネクタ４０ｃを介して外部電源５０に対して接続している。具体的には、外部電源５０の一方の端子をこの第３コネクタ４０ｃの第４コネクタ電極端子４３２に接続している。
また、第１の行において他端（図１７の右端）に位置する発光装置１００を第２コネクタ４０ｂを介して外部電源５０に対して接続している。具体的には、外部電源５０の他方の端子をこの第２コネクタ４０ｂの第３コネクタ電極端子４３１に接続している。
また、行方向における一端（図１７の左端）に位置する２つの発光装置１００どうしを第３コネクタ４０ｃにより接続している。
また、行方向における他端（図１７の右端）に位置する２つの発光装置１００どうしを第２コネクタ４０ｂにより接続している。
また、行方向における中央にて列方向に隣接する２つの発光装置１００どうしを第５コネクタ４０ｅを用いて接続している。
これにより、６つの発光装置１００を並列接続と直列接続とが混在する形で接続することができる。具体的には、６つの発光装置１００のうちの３つずつを直列に接続している。本実施例によっても、上記の実施形態と同様の効果が得られる。
【００８１】
（実施例４）
図１９は本実施例に係る発光装置１００の回路構成を示す図である。この発光装置１００は、以下に説明する点で、上記の実施形態に係る発光装置１００と相違し、その他の点では上記の実施形態に係る発光装置１００と同様に構成されている。
【００８２】
本実施例の場合、各端子部３１は、第３電極端子３１３を更に有している。各端子部３１の第３電極端子３１３は、共通の配線等の導体３７を介して相互に電気的に接続されている。
【００８３】
図２０（ａ）〜（ｇ）の各図は、本実施例に係る発光装置１００の接続に用いられる各種のコネクタ４０（第１コネクタ４０ａ〜第７コネクタ４０ｇ）を示す模式図である。
【００８４】
本実施例の場合、コネクタ４０は、第１部分４１１に設けられた第５コネクタ電極端子（電極端子）４２３と、第２部分４１２に設けられた第６コネクタ電極端子（電極端子）４３３と、を更に有している。
すなわち、本実施例の場合、コネクタ４０は、第１部分４１１には第１コネクタ電極端子４２１、第２コネクタ電極端子４２２および第５コネクタ電極端子４２３を備え、第２部分４１２には第３コネクタ電極端子４３１、第４コネクタ電極端子４３２および第６コネクタ電極端子４３３を備えている。第１部分４１１の各電極端子４２１〜４２３と、第２部分４１２の各電極端子４３１〜４３３とは、本体部４１内に形成された導体４５、４６（図６参照）を介して任意の組み合わせ（接続されていない場合も含む）で互いに電気的に接続されている。
【００８５】
以下、この組み合わせの例を説明する。本実施例の場合、コネクタ４０には、図２０に示す複数のバリエーションがある。図２０（ａ）〜（ｇ）に示す各種のコネクタ４０（第１〜第７コネクタ４０ａ〜４０ｇ）は、互いに形状が等しい。そして、これら第１〜第７コネクタ４０ａ〜４０ｇは、第１部分４１１の電極端子４２１〜４２３と、第２部分４１２の電極端子４３１〜４３３と、の電気的な接続関係が互いに異なっている。
【００８６】
図２０（ａ）に示す第１コネクタ４０ａにおいては、第１コネクタ電極端子４２１と第３コネクタ電極端子４３１とが導体４５を介して相互に電気的に接続されている。また、第２コネクタ電極端子４２２と第４コネクタ電極端子４３２とが導体４５を介して相互に電気的に接続されている。更に、第５コネクタ電極端子４２３と第６コネクタ電極端子４３３とが導体４５を介して相互に電気的に接続されている。
【００８７】
図２０（ｂ）に示す第２コネクタ４０ｂにおいては、第１コネクタ電極端子４２１と第３コネクタ電極端子４３１とが導体４５を介して相互に電気的に接続されている。また、第５コネクタ電極端子４２３と第６コネクタ電極端子４３３とが導体４５を介して相互に電気的に接続されている。ただし、第２コネクタ４０ｂの第２コネクタ電極端子４２２および第４コネクタ電極端子４３２の各々は、第２コネクタ４０ｂの他の何れの電極端子に対しても電気的に接続されていない。
【００８８】
図２０（ｃ）に示す第３コネクタ４０ｃにおいては、第２コネクタ電極端子４２２と第４コネクタ電極端子４３２とが導体４５を介して相互に電気的に接続されている。また、第５コネクタ電極端子４２３と第６コネクタ電極端子４３３とが導体４５を介して相互に電気的に接続されている。ただし、第３コネクタ４０ｃの第１コネクタ電極端子４２１および第３コネクタ電極端子４３１の各々は、第３コネクタ４０ｃの他の何れの電極端子に対しても電気的に接続されていない。
【００８９】
図２０（ｄ）に示す第４コネクタ４０ｄにおいては、第１コネクタ電極端子４２１と第４コネクタ電極端子４３２とが導体４５を介して相互に電気的に接続されている。また、第５コネクタ電極端子４２３と第６コネクタ電極端子４３３とが導体４５を介して相互に電気的に接続されている。ただし、第４コネクタ４０ｄの第２コネクタ電極端子４２２および第３コネクタ電極端子４３１の各々は、第４コネクタ４０ｄの他の何れの電極端子に対しても電気的に接続されていない。
【００９０】
図２０（ｅ）に示す第５コネクタ４０ｅにおいては、第５コネクタ電極端子４２３と第６コネクタ電極端子４３３とが導体４５を介して相互に電気的に接続されている。ただし、第５コネクタ４０ｄの第１コネクタ電極端子４２１、第２コネクタ電極端子４２２、第３コネクタ電極端子４３１および第４コネクタ電極端子４３２の各々は、第５コネクタ４０ｅの他の何れの電極端子に対しても電気的に接続されていない。
【００９１】
図２０（ｆ）に示す第６コネクタ４０ｆにおいては、第１コネクタ電極端子４２１、第３コネクタ電極端子４３１、第５コネクタ電極端子４２３および第６コネクタ電極端子４３３が導体４５および４６を介して相互に電気的に接続されている。ただし、第６コネクタ４０ｆの第２コネクタ電極端子４２２および第４コネクタ電極端子４３２の各々は、第６コネクタ４０ｆの他の何れの電極端子に対しても電気的に接続されていない。
【００９２】
図２０（ｇ）に示す第７コネクタ４０ｇにおいては、第２コネクタ電極端子４２２、第４コネクタ電極端子４３２、第５コネクタ電極端子４２３および第６コネクタ電極端子４３３が導体４５および４６を介して相互に電気的に接続されている。ただし、第７コネクタ４０ｇの第１コネクタ電極端子４２１および第３コネクタ電極端子４３１の各々は、第７コネクタ４０ｇの他の何れの電極端子に対しても電気的に接続されていない。
【００９３】
これら第１〜第７コネクタ４０ａ〜４０ｇにより、本実施例に係るコネクタセットが構成されている。なお、このコネクタセットは、互いに隣り合う発光装置１００どうしを電気的に接続するものではなく、単に機械的に接続するもの（図６（ｅ）参照）を含んでいても良い。
【００９４】
なお、第５コネクタ電極端子４２３は、第１コネクタ電極端子４２１および第２コネクタ電極端子４２２とともに、第１プラグ４２を構成している。同様に、第６コネクタ電極端子４３３は、第３コネクタ電極端子４３１および第４コネクタ電極端子４３２とともに、第２プラグ４３を構成している。
【００９５】
本実施例の場合、第１プラグ４２が差込孔３３に差し込まれることにより、第５コネクタ電極端子４２３が第３電極端子３１３に対して接触するとともに電気的に接続される。同様に、第２プラグ４３が差込孔３３に差し込まれることにより、第６コネクタ電極端子４３３が第３電極端子３１３に対して接触するとともに電気的に接続される。
【００９６】
本実施例によれば、上記の実施形態と同様の効果が得られる。また、コネクタ４０の電極端子数および接続部３０の電極端子数が、上記の実施形態よりも多いため、上記の実施形態よりも多くの組み合わせで隣り合う発光装置１００どうしを電気的に接続することができる。また、例えば、電力供給用の電極端子の他に、制御信号供給用の電極端子を設定することができる。
【００９７】
（実施例５）
図２１は本実施例を示す模式的な平面図である。本実施例では、上記の実施例４で説明したコネクタ４０による接続の仕方の例を説明する。本実施例でも、６つの発光装置１００を２行３列に配置し、これら発光装置１００をコネクタ４０により互いに接続する。
【００９８】
行方向において隣接する発光装置１００どうしを第４コネクタ４０ｄを用いて接続している。行方向における一端（図２１の左端）にて列方向に隣接する２つの発光装置１００どうしを第７コネクタ４０ｇを用いて接続している。行方向における中央にて列方向に隣接する２つの発光装置１００どうしを第５コネクタ４０ｅを用いて接続している。行方向における他端（図２１の右端）にて列方向に隣接する２つの発光装置１００どうしを第２コネクタ４０ｂを用いて接続している。第２の行（図２１の下側）における他端（図２１の右端）の発光装置１００と外部電源５０とを第２コネクタ４０ｂを用いて接続している。具体的には、外部電源５０の一方の端子をこの第２コネクタ４０ｂの第３コネクタ電極端子４３１に接続し、外部電源５０の他方の端子をこの第２コネクタ４０ｂの第６コネクタ電極端子４３３に接続している。本実施例によっても、上記の実施例４と同様の効果が得られる。また、１個のコネクタ（第２コネクタ４０ｂ）のみを外部電源５０に対して接続すれば良いため、図１７に示す例と比べて、外部電源５０と発光装置１００との間の配線を簡略化することができる。
【００９９】
（実施例６）
図２２（ａ）〜（ｃ）の各図は、本実施例に係る発光装置１００を説明するための図である。このうち図２２（ａ）は本実施例に係る発光装置１００の一方の面を示す平面図、図２２（ｂ）は本実施例に係る発光装置１００の他方の面を示す平面図、図２２（ｃ）は本実施例に係る発光装置１００どうしをコネクタ４０により接続した状態を示す平面図である。本実施例に係る発光装置１００は、以下に説明する点で、上記の実施形態に係る発光装置１００と相違し、その他の点では、実施形態に係る発光装置１００と同様に構成されている。
【０１００】
上記においては、接続部３０が固定板２０の発光素子１０が固定された面とは反対側の面に形成されている例を説明した。これに対し、本実施例では、図２２（ａ）および（ｂ）に示すように、接続部３０は、固定板２０の発光素子１０が固定された面において、発光素子１０の周囲の部分に形成されている。このため、固定板２０の面積は、発光素子１０の面積よりも大きい。本実施例の場合、隣り合う発光装置１００どうしをコネクタ４０により接続すると、図２２（ｃ）に示す状態となる。
【０１０１】
本実施例によっても、上記の実施形態と同様の効果が得られる。また、接続部３０は、固定板２０の発光素子１０が固定された面において、発光素子１０の周囲の部分に形成されているので、発光素子１０が固定された面の方から、コネクタ４０を抜き差しするオペレーションを行うことができる。
【０１０２】
（実施例７）
図２３（ａ）〜（ｅ）の各図は、本実施例に係る発光装置１００とその接続に用いられるコネクタ４０とを説明するための図である。このうち図２３（ａ）はコネクタ４０の一方の面を示す平面図、図２３（ｂ）はコネクタ４０の側面図、図２３（ｃ）はコネクタ４０の他方の面を示す平面図、図２３（ｄ）は発光装置１００の接続部３０周辺を示す斜視図、図２３（ｅ）は本実施例に係る発光装置１００どうしをコネクタ４０により接続した状態を示す平面図である。
【０１０３】
上記においては、コネクタ４０がピン状端子部を有する例を説明した。これに対し、本実施例では、コネクタ４０はピン状端子を有していない。例えば、図２３（ｂ）および図２３（ｃ）に示すように、コネクタ４０の電極端子（例えば、第１コネクタ電極端子４２１、第２コネクタ電極端子４２２、第３コネクタ電極端子４３１および第４コネクタ電極端子４３２は、コネクタ４０の本体部に埋め込み形成されており、本体部４１から突出していない。
【０１０４】
一方、発光装置１００の固定板２０の凹部３２内には、例えば、図２３（ｄ）に示すように、凹部３２の底面より突出した電極端子（例えば、第１電極端子３１１および第２電極端子３１２）が形成されている。なお、本実施例の場合、第１電極端子３１１および第２電極端子３１は、共に上記対称線上に位置し、且つ、この対称線上において互いに異なる位置に配置されている。
【０１０５】
コネクタ４０の第１部分４１１が凹部３２に差し込まれることにより、第１コネクタ電極端子４２１が第１電極端子３１１に対して接触するとともに電気的に接続され、且つ、第２コネクタ電極端子４２２が第２電極端子３１２対して接触するとともに電気的に接続される。同様に、コネクタ４０の第２部分４１２が凹部３２に差し込まれることにより、第３コネクタ電極端子４３１が第１電極端子３１１に対して接触するとともに電気的に接続され、且つ、第４コネクタ電極端子４３２が第２電極端子３１２対して接触するとともに電気的に接続される。
【０１０６】
また、図２３（ａ）〜（ｃ）に示すように、コネクタ４０は、第１部分４１１と第２部分４１２との接合部から離間するにつれて幅が拡大する形状となっている。これにより、図２３（ｅ）に示すように、発光装置１００どうしをコネクタ４０により接続することにより、発光装置１００どうしがそれらの面方向において互いに離間してしまうことを、コネクタ４０によって十分に規制することができる。
【０１０７】
本実施例によっても、上記の実施形態と同様の効果が得られる。
【０１０８】
以上、図面を参照して実施形態及び実施例について述べたが、これらは本発明の例示であり、上記以外の様々な構成を採用することもできる。
【０１０９】
例えば、上記においては、複数の発光装置１００を平面視において互いに隙間無く並べて配置する例を説明したが、隣り合う発光装置１００の間には隙間を形成しても良い。この場合、コネクタ４０を上記よりも長尺なものとすると良い。
【０１１０】
また、コネクタ４０が接続部３０から脱落することを抑制するために、コネクタ４０を接続部３０に対して係合させる係合構造を固定部２０又はコネクタ４０の少なくとも一方に形成しても良い。
【０１１１】
また、コネクタ４０の第１プラグ４２と第２プラグ４３との間の距離が可変となるように、本体部４１が弾性あるいは伸縮性の素材で形成されていても良い。また、本体部４１における第１部分４１１と第２部分４１２とが互いに揺動可能に連結されていても良い。
【０１１２】
また、複数の発光装置１００は、筐体形状又は基板状などの形状に形成された取付ベース部材に対して固定しても良い。
【０１１３】
また、上記においては、接続部３０の凹部３２が固定板２０の一方の面および側面に開口している例を説明したが、凹部３２は固定板２０の側面には開口していなくても良い。
【０１１４】
また、上記においては、コネクタ４０がピン状端子を有し、固定板２０の接続部３０が差込孔３３を有し、接続部３０にコネクタ４０が差し込まれることによって、コネクタ４０のピン状端子が固定板２０の差込孔３３に差し込まれる例を説明した。ただし、コネクタ４０が内部に電極端子が形成された差込孔を有し、固定板２０の接続部３０が電極端子を有するピン状端子を有し、接続部３０にコネクタ４０が差し込まれることによって、接続部３０のピン状端子がコネクタ４０の差込孔に差し込まれて、発光素子１０とコネクタ４０とが電気的に接続されるようになっていても良い。
【符号の説明】
【０１１５】
１０ 発光素子
２０ 固定板
３０ 接続部
３１ 端子部
３３ 差込孔
４０、４０ａ、４０ｂ、４０ｃ、４０ｄ、４０ｅ、４０ｆ、４０ｇ コネクタ
４２ 第１プラグ（ピン状端子）
４３ 第２プラグ（ピン状端子）
５０ 外部電源（電源）
１００、１００ａ、１００ｂ 発光装置
４２１ 第１コネクタ電極端子（電極端子）
４２２ 第２コネクタ電極端子（電極端子）
４２３ 第５コネクタ電極端子（電極端子）
４３１ 第３コネクタ電極端子（電極端子）
４３２ 第４コネクタ電極端子（電極端子）
４３３ 第６コネクタ電極端子（電極端子）
【図１】
2014127228.tif 000003
【図２】
2014127228.tif 000004
【図３】
2014127228.tif 000005
【図４】
2014127228.tif 000006
【図５】
2014127228.tif 000007
【図６】
2014127228.tif 000008
【図７】
2014127228.tif 000009
【図８】
2014127228.tif 000010
【図９】
2014127228.tif 000011
【図１０】
2014127228.tif 000012
【図１１】
2014127228.tif 000013
【図１２】
2014127228.tif 000014
【図１３】
2014127228.tif 000015
【図１４】
2014127228.tif 000016
【図１５】
2014127228.tif 000017
【図１６】
2014127228.tif 000018
【図１７】
2014127228.tif 000019
【図１８】
2014127228.tif 000020
【図１９】
2014127228.tif 000021
【図２０】
2014127228.tif 000022
【図２１】
2014127228.tif 000023
【図２２】
2014127228.tif 000024
【図２３】
2014127228.tif 000025